(57)【要約】【課題】きわめて簡単に、しかも確実にボトル内の液体を磁気作用によって活性化処理するようにした。【解決手段】ボトルの側面部に当接する第１の面部分２と、前記ボトルの底部に当接する第２の面部分３とを有し、前記第１の面部分２と第２の面部分３とに永久磁石２１、３１を設けることにより、両永久磁石の磁気作用によってボトル内部の液体を活性化させるようにした。【選択図】　図１
2004057906.tif 000002
【特許請求の範囲】
【請求項１】
ボトルの側面部に当接する第１の面部分と、前記ボトルの底部に当接する第２の面部分とを有し、前記第１の面部分と第２の面部分とに永久磁石を設けることにより、両永久磁石の磁気作用によってボトル内部の液体を活性化させるようにしたことを特徴とするボトル水の磁気活性化処理具。
【請求項２】
第１の面部分および第２の面部分は、冷蔵庫のボトルラックの面である請求項１に記載のボトル水の磁気活性化処理具。
【請求項３】
ボトルの側面部に当接する第１の面部分と、前記ボトルの底部に当接する第２の面部分とを有し、前記第１の面部分と第２の面部分とに永久磁石を設けることにより、両永久磁石の磁気作用によってボトル内部の液体を活性化化させる第１の磁気活性化処理具と、
前記第１の磁気活性化処理具に対向してボトルの対向する他の側面部に当接する第３の面部分を有し、この第３の面部分に永久磁石を設けた第２の磁気活性化処理具とからなる、ボトル水の磁気活性化処理具。
【発明の詳細な説明】
【０００１】
【発明の属する技術分野】
本発明は、ボトルの内部の液体を、永久磁石の作用によって活性化させるようにしたことを特徴とするボトル水の磁気活性化処理具に関するものである。
【０００２】
【従来の技術】
ボトルの内部に収納した液体を永久磁石によって活性化させる方法として、従来では、例えば特開平１１−５７７２６号公報に記載のものがある。
前記した従来の水の活性化方法は、バンドに永久磁石を配設した保持体を設け、このバンド体をボトルの表面に卷回することにより、永久磁石の磁気を水に作用させて活性化させるものである。
【０００３】
【発明が解決しようとする課題】
しかし、前記従来の活性化方法では、ボトル内の水に充分な磁気作用を与えることができないし、ボトルにバンドを卷回する手間が必要である。また、バンドがボトルから外れると、磁気力が作用しなくなる。
したがって、本発明はきわめて簡単に、しかも確実に磁気を作用させて水を活性化させることができるボトル水の磁気活性化処理具を提供することを目的とする。
【０００４】
【課題を解決するための手段】
前記目的を達成させるために、本願の請求項１に記載の発明は、ボトルの側面部に当接する第１の面部分と、前記ボトルの底部に当接する第２の面部分とを有し、前記第１の面部分と第２の面部分とに永久磁石を設けることにより、両永久磁石の磁気作用によってボトル内部の液体を活性化させるようにしたことを特徴とする。
【０００５】
また、本願の請求項２に記載された発明は、前記請求項１の発明において、第１の面部分および第２の面部分は、冷蔵庫のボトルラックの面である構成である。
【０００６】
また本願の請求項３に記載の発明は、ボトルの側面部に当接する第１の面部分と、前記ボトルの底部に当接する第２の面部分とを有し、前記第１の面部分と第２の面部分とに永久磁石を設けることにより、両永久磁石の磁気作用によってボトル内部の液体を活性化化させる第１の磁気活性化処理具と、前記第１の磁気活性化処理具に対向してボトルの対向する他の側面部に当接する第３の面部分を有し、この第３の面部分に永久磁石を設けた第２の磁気活性化処理具とからなる構成である。
【０００７】
【発明の実施の形態】
以下に本発明を図面に示す実施の態様に基づいて説明する。
図１は本発明の第１実施例を示す縦断面図、図２は第１実施例の第１使用態様の斜視図、図３は同上の第２使用態様の斜視図、図４は本発明の第２実施例を示す一部の斜視図、図５は同上の使用状態の縦断面図、図６は本発明の第３実施例の縦断面図、図７は同上の分解状態の斜視図である。
【０００８】
本発明の磁気活性化処理具１は、平板状の第１の面部分２と、前記第１の面部分２より短尺な平板状の第２の面部分３とを有し、前記第１の面部分２と第２の面部分３とを直角にしてＬ字状に一体化させた構成である。
【０００９】
そして、前記第１の面部分２および第２の面部分３は、合成樹脂製、木製、非鉄金属製などの非磁性材質からなり、第１の面部分２には複数の第１の永久磁石２１を、第２の面部分３には複数の第２の永久磁石３１を、それぞれ埋設状に設けた構成である。前記各永久磁石２１、３１は、２０００ガウス以上の高磁界を発生するものが望ましい。
【００１０】
したがって、前記構成の磁気活性化処理具１に、液体が収納されている非磁性のボトルｂを載置し、前記ボトルｂの側面部ｂ１を第１の面部分２に当接させるとともに、ボトルｂの底部ｂ２を第２の面部分３に当接させると、永久磁石２１と永久磁石３１との間に、ボトルｂが介在する磁気回路が発生し、この磁気回路がボトル内の液体に作用して活性化させ、浄化したり鉄分を除去することができる。
【００１１】
図２はボトルｂの底部を受け止める第２の面部分３が下であって、第１の面部分２が直立しているので、ボトルｂを直立状態で支持している第１の使用態様である。しかし、図３で示すように、第１の面部分２を横にして第２の面部分３を直立させると、ボトルｂは横に倒れた第２の使用態様になる。
前記第１の使用態様、第２の使用態様の何れにおいても、磁気回路の発生状態には変化しないので、ボトル内の水を活性化させる作用が変わらない。
【００１２】
図４、５は本発明の第２実施例を示すもので、磁気活性化処理具１を一般家庭用の冷蔵庫１０１に応用した場合を示す。
即ち、冷蔵庫１０１のドアー１０２に設けてあるボトルラック１０３の背の面を第１の面部分２とし、ボトルの底部を受け止めるラック底部を第２の面部分３として利用するのである。
【００１３】
そして、前記第１の面部分２および第２の面部分３には、前記第１の実施例と同様に永久磁石２１、３１を埋設状に設けてあり、両永久磁石によって磁気回路を形成することができる。
【００１４】
したがって、本発明の第２実施例によれば、前記ボトルラック１０３に液体を入れたボトルｂを収納するだけで、ボトルの側面部、底部が永久磁石に接触するので、前記磁気回路によって液体が活性化することになるので、ボトルラック１０３にボトルｂを入れておくだけで内部の水を冷蔵し、活性化させることができる。
【００１５】
図６、７は、本発明の第３実施例を示すもので、第１の磁気活性化処理具４と第２の磁気活性化処理具５とによって磁気活性化処理具１を構成した場合である。
即ち、第１の磁気活性化処理具４は、前記実施例の磁気活性化処理具と同様に第１の面部分４１と第２の面部分４２とをＬ字状に設け、各面部分４１、４２にそれぞれ永久磁石４１１、４２１を複数埋設状に設けるとともに、第２の面部分４２の横幅を、第１の面部分４１より幅狭にした構成である。
【００１６】
そして、第２の磁気活性化処理具５は、第１の面部分５１と第２の面部分５２とをＬ字状に有するが、第１の面部分５１に永久磁石５１１を埋設状に設けて、第２の面部分５２に溝部５３を形成した構成である。
前記溝部５３には、前記第２の面部分４２がスライドして嵌入することができる。
【００１７】
したがって、両磁気活性化処理具４、５を並列状に設置して第２の面部分４２を溝部５３に嵌入し、対向する第１の面部分４１と５１との間にボトルｂを装着していずれか一方の磁気活性化処理具４、５を移動させると（図６）、対向する左右の第１の面部分４１、５１がボトルｂの左右の側面を挟持するようにして当接することになる。しかも両方の第２の面部分４２、５２がボトルｂの底部を受け止めることになる。
【００１８】
したがって、左右の各面部分の永久磁石４１１、５１１と、第２の面部分４２の永久磁石４２１とにより複数のランダムな磁気回路が形成されるので、ボトルｂの液体を確実に、強力に活性化させることができる。
【００１９】
本発明の第３実施例によれば、ペットボトルのサイズに関係がなく、左右の第１の面部分をボトルの側面部に当接させることができるし、ボトルを安定な状態で保持することができる。
【００２０】
以上本発明を複数の実施例に基づいて説明したが、本発明は前記実施例に限定されるものではなく、特許請求の範囲に記載の構成を変更しない限りどのようにでも実施することができる。例えば、各永久磁石は面部分にどのような形態で取り付けてもよいし、また各面部分は非磁性のペットボトルを支持できるのであればどのような構成でもよい。また、ボトルが処理具から転動しないように、例えば第１の面部分の左右の側縁に堰き止め片を設け、対向する堰き止め片の内側をボトルの表面に沿うような円弧状面を形成してもよい。
【００２１】
【発明の効果】
以上要するに、本発明は、ボトルの側面部に当接する第１の面部分と、前記ボトルの底部に当接する第２の面部分とを有し、前記第１の面部分と第２の面部分とに永久磁石を設けることにより、両永久磁石の磁気作用によってボトル内部の液体を活性化させるようにしたことを特徴とする。
【００２２】
したがって、確実に、またきわめて簡単にボトル内部の水を磁気作用により活性化することができるし、ボトルラックとして使用することもできる。
【００２３】
そして、請求項２に記載の発明によれば、冷蔵庫にボトルを収納しておくだけで磁気作用による活性化と冷却とを同時に行うことができ、また請求項３に記載の発明によればボトルのサイズに関係がなく左右の側面から磁気作用を与えて活性化することができ、実用的価値の高いものとなる。
【図面の簡単な説明】
【図１】本発明の第１実施例を示す縦断面図である。
【図２】第１実施例の第１使用態様の斜視図である。
【図３】同上の第２使用態様の斜視図である。
【図４】本発明の第２実施例を示す一部の斜視図である。
【図５】同上の使用状態の縦断面図である。
【図６】本発明の第３実施例の縦断面図である。
【図７】同上の分解状態の斜視図である。
【符号の説明】
１　磁気活性化処理具
２　第１の面部分
３　第２の面部分
４　第１の磁気活性化処理具
５　第２の磁気活性化処理具
２１　第１の永久磁石
３１　第２の永久磁石
１０１　冷蔵庫
１０２　ドアー
１０３　ボトルラック
【図１】
2004057906.tif 000003
【図２】
2004057906.tif 000004
【図３】
2004057906.tif 000005
【図４】
2004057906.tif 000006
【図５】
2004057906.tif 000007
【図６】
2004057906.tif 000008
【図７】
2004057906.tif 000009